(57)【要約】【課題】建物躯体に形成された開口部を狭めることなく、窓シャッターの操作部材を取り付けることができる窓シャッターの操作装置を提供する。【解決手段】窓シャッター装置の枠体の左右の縦枠８，９は、躯体側枠部８０，９０、躯体側枠部８０，９０によって建物躯体から持ち出して形成された中間枠部８１，９１を有しており、プーリ１５は縦枠８の上方で開口部Ｏから離隔する側に位置しており、プーリ１５から引き出されたテープ１６を開口幅方向に方向転換させるガイドローラ２１が、プーリ１５の下方に位置して設けてあり、方向転換されたテープ１６を躯体側枠部８０上方からその内部空間に導入し、内側見込面８００から室内空間に引き出してなる。【選択図】図３
2008138357.tif 000002
【特許請求の範囲】
【請求項１】
建物躯体の開口部の外側に突設した枠体と、
窓シャッター装置の巻取シャフトの端部に設けたプーリと、
前記プーリに巻装されており、引き操作によって前記プーリを介して前記巻取シャフトをシャッターカーテン巻き取り方向に回転させる操作部材と、
を有し、
前記枠体の左右の縦枠は、躯体側枠部、該躯体側枠部によって建物躯体から持ち出して形成された中間枠部と、該中間枠部の先端に形成された先端枠部とからなり、
平面視において、前記プーリは一方の縦枠の上方で前記開口部から離隔する側に位置しており、プーリから開口幅に直交する方向に引き出された操作部材を開口幅方向に方向転換させるガイドローラが、前記プーリの下方に位置して設けてあり、
前記方向転換された操作部材を前記躯体側枠部上方からその内部空間に導入し、躯体側枠部の内側見込面から窓装置の室内側の室内空間に引き出してなる、
窓シャッターの操作装置。
【請求項２】
前記操作部材は、躯体側枠部の前記内側見込面の上方部位から前記室内空間に引き出され、前記内側見込面に沿って下方に延出すると共に、前記内側見込面の下方部位から前記躯体側枠部の内部空間に引き込まれており、前記操作部材の余長部が前記内部空間に収納されている、請求項１に記載の窓シャッターの操作装置。
【発明の詳細な説明】
【技術分野】
【０００１】
本発明は、窓シャッターの操作装置に関するものである。
【背景技術】
【０００２】
窓シャッターは、建物開口部を開閉する窓装置の屋外側に設置されるシャッターである。窓シャッターには、その開閉操作を手動で行うものがあり、特許文献１のシャッター付きサッシでは、操作部材１１を引っ張り出すと、シャッター板７が巻き上げられるようになっている。しかしながら、このものでは、操作部材１１を建物躯体に形成された建物開口部を横切るようにして引き出しているため、建物躯体に形成されている建物開口部の有効開口が小さくなってしまうという課題がある。より具体的に説明すると、特許文献１のものでは、プーリからまっすぐ操作部材１１を引き出したいため、建物躯体２を避けるべく平面視において額縁よりも開口部側にプーリを偏移させる必要があり、プーリに合わせてサッシ縦枠も開口部側に寄るためその分開口幅が狭くなってしまう。また、サッシ枠に操作部材１１を挿通させる孔加工を施すことを避けるため、上額縁に対してシャッターケースの位置を低く設定すると共に、カバー部材１５を上額縁の下側に設け、カバー部材１５を介して操作部材１１を下方に引き出しており、その分だけ開口部の高さが小さくなってしまう。
【特許文献１】特許第３４１９７２３号
【発明の開示】
【発明が解決しようとする課題】
【０００３】
本発明の目的は、建物躯体に形成された開口部を狭めることなく、窓シャッターの操作部材を取り付けることができる窓シャッターの操作装置を提供することにある。
【課題を解決するための手段】
【０００４】
本発明が採用した技術手段は、建物躯体の開口部の外側に突設した枠体と、窓シャッター装置の巻取シャフトの端部に設けたプーリと、前記プーリに巻装されており、引き操作によって前記プーリを介して前記巻取シャフトをシャッターカーテン巻き取り方向に回転させる操作部材と、を有し、前記枠体の左右の縦枠は、躯体側枠部、該躯体側枠部によって建物躯体から持ち出して形成された中間枠部（サッシ縦枠を構成する）と、該中間枠部の先端に形成された先端枠部（ガイドレール枠を構成する）とからなり、平面視において、前記プーリは一方の縦枠の上方で前記開口部から離隔する側に位置しており、プーリから開口幅に直交する方向に引き出された操作部材を開口幅方向に方向転換させるガイドローラが、前記プーリの下方に位置して設けてあり、前記方向転換された操作部材を前記躯体側枠部上方からその内部空間に導入し、躯体側枠部の内側見込面から窓装置の室内側の室内空間に引き出してなる、窓シャッターの操作装置、である。枠体は、上枠、下枠を備えており、上枠、下枠も縦枠と同様に、躯体側枠部、該躯体側枠部によって建物躯体から持ち出して形成された中間枠部（サッシ縦枠を構成する）を備えている。また、一つの好ましい態様では、躯体側枠部の内側見込面は前記開口部の見込面と略面一である。
【０００５】
１つの好ましい態様では、前記操作部材は、躯体側枠部の前記内側見込面の上方部位から前記室内空間に引き出され、前記内側見込面に沿って下方に延出すると共に、前記内側見込面の下方部位から前記躯体側枠部の内部空間に引き込まれており、前記操作部材の余長部が前記内部空間に収納されている。好ましくは、前記内部空間内には、操作部材の長さ調整機構が設けてあり、操作部材の引き出し、巻き戻しに応じて変化する余長部の長さを前記長さ調整機構で調整している。
【発明の効果】
【０００６】
本発明の窓シャッターの操作装置では、操作部材を、建物躯体の外側で処理しているので、操作部材が建物躯体の開口部を横切るようなことがなく、開口部の有効寸法（すなわち、開口幅Ｗ及び開口高さＨ）を狭めるようなことがない。
【０００７】
請求項２に示すものでは、操作部材の余長部を前記突出縦枠の内部空間を利用して収納することで、操作性及び意匠性の向上を図っている。
【発明を実施するための最良の形態】
【０００８】
図１は、建物開口部に設置される窓装置及び窓シャッター装置の正面図である。図２、図３に示すように、建物開口部Ｏは上下の額縁１，２、左右の縦額縁３，４によって画定されており、開口幅Ｗ、開口高Ｈを備えている。上額縁１、下額縁２、縦額縁３，４は躯体１Ａ、２Ａ、３Ａ、４Ａにそれぞれ装着支持されている。建物の表面には開口部Ｏを取り囲むように外装材５が貼り付けられている。開口部Ｏの室外側には、開口部Ｏを取り囲むようにして、窓装置、シャッター装置を取り付けるための枠体が突設されている。シャッター装置は、枠体の突出端部に位置して取り付けられており、シャッター装置の室内側に窓装置が取り付けられる。また、建物開口部Ｏは基本的には窓装置によって開閉されることから、窓装置の内側の空間を室内空間という。
【０００９】
枠体は、建物躯体の外装材５に室外側に向かって突設されており、上枠６、下枠７、左右の縦枠８，９から構成されている。上枠６、下枠７、左右の縦枠８，９は外装材５側に位置する躯体側枠部６０，７０，８０，９０を有しており、躯体側枠部６０，７０，８０，９０を介して躯体１Ａ、２Ａ、３Ａ、４Ａ（開口部Ｏ）から室外側に持ち出した中間枠部６１，７１，８１，９１を有しており、当該中間枠部６１，７１，８１，９１の内方部分が窓装置のサッシ枠部６１Ａ，７１Ａ，８１Ａ，９１Ａを構成しており、当該サッシ枠部６１Ａ，７１Ａ，８１Ａ，９１Ａに窓装置が取り付けられる。すなわち、上枠６、下枠７、左右の縦枠８，９は建物駆体の外装材５から室外側に向かって、躯体側枠部６０，７０，８０，９０、窓装置を取り付けるサッシ枠部６１Ａ，７１Ａ，８１Ａ，９１Ａを備えた中間枠部６１，７１，８１，９１が形成され、上枠６、下枠７、左右の縦枠８，９の突出端部にシャッター装置が取り付けられる。枠体に躯体側枠部６０，７０，８０，９０を設けることで、窓装置の室内側と躯体１Ａ、２Ａ、３Ａ、４Ａ（開口部Ｏ）との間に、躯体側枠部６０，７０，８０，９０の突出寸法分の空間が形成される。
【００１０】
縦枠８，９の構成をより詳細に説明すると、左右の縦枠８，９は、躯体側枠部８０，９０、該躯体側枠部８０，９０によって建物躯体から持ち出して形成された中間枠部８１，９１（内方部分がサッシ縦枠８１Ａ，９１Ａを形成している）と、該中間枠部８１，９１の先端に形成された先端枠部８２，９２とからなる。先端枠部８２，９２はガイドレール１４が一体形成されたガイドレール枠である。躯体側枠部８０，９０の内方には、中間枠部８１，９１のサッシ縦枠８１Ａ，９１Ａの躯体側（室内側）に位置して突出縦枠８０Ａ，９０Ａが対向状に突成されている。すなわち、突出縦枠８０Ａ，９０Ａは、躯体側枠部８０，９０の内方部分（開口部側部分）を構成している。図３に示すように、左右の縦枠８，９の外側見込面８Ａ，９Ａは額縁３，４に対して、開口部Ｏから離隔する側に偏移して突出しており、一方、左右の縦枠８，９の内側見込面の躯体側部位を構成する躯体側枠部８０（突枠８０Ａ，９０Ａ）の内側見込面８００，９００は開口部Ｏの見込面（額縁３，４の面部）と略面一となっている。したがって、左右の縦枠８，９の躯体側枠部８０，９０によって開口幅Ｗが狭められることがない。縦枠８，９の躯体側枠部８０（突出縦枠８０Ａ，９０Ａを含む）は中空枠体である。
【００１１】
図示の態様では、枠体を構成するそれぞれの上枠６、下枠７、左右の縦枠８，９は複数の枠部材を螺子で組み立てることで構成されているが、上枠６、下枠７、左右の縦枠８，９を一つの部材から一体形成してもよい。例えば、縦枠８の構成において、縦枠８の中間枠部８１の一部であるサッシ縦枠８１Ａは別部材から形成されているが、サッシ縦枠８１Ａを含む中間枠部８１を一部材から一体形成してもよい。また、縦枠８の躯体側枠部８０の一部である突出縦枠８０Ａは別部材から形成されており、躯体側枠部８０の中空部が壁８０１によって内部空間Ｓ１，Ｓ２に仕切られているが、突出縦枠８０Ａを含む躯体側枠部８０を一部材から一体形成してもよい。
【００１２】
窓装置は、ルーバー状に開閉する窓障子１０を備えている。シャッター装置は、上枠６の上方に位置して外装材５から持ち出し状に突設したシャッターケース１１と、シャッターケース１１内で開口部の幅方向に延出する巻取シャフト１２と、上端が巻取シャフト１２に連結されており、巻取シャフト１２の回転によって、巻取シャフト１２に巻き取られ、あるいは、繰り出されるシャッターカーテン１３と、シャッターカーテン１３の幅方向端部を案内するガイドレール１４と、を備えている。ガイドレール１４は、縦枠８，９の先端枠部８２，９２の一部として構成されている。シャッターカーテン１３は、複数枚のスラット１３ａを上下に連設することで構成されている。
【００１３】
左右のブラケット（一方のみ１１Ａで示す）間に回転自在に支持されている巻取シャフト１２の一端にはプーリ１５が設けてあり、プーリ１５は操作部材としてのテープ１６を巻装する周面を有しており、テープ１６の引き操作でプーリ１５を介して巻取シャフト１２を回転させてシャッターカーテン１３を巻き取り上昇させて開口部を開放するようになっている。巻取シャフト１２の他端には、ゼンマイスプリング（図示せず）が内蔵されており、シャッターカーテン１３を巻き取る方向に巻取シャフト１２を付勢することで、シャッターカーテン１３の巻き取りを容易にしている。ここで、シャッターカーテン降下時には、シャッターカーテン１３の自重がゼンマイスプリングのばね力に打ち勝って降下するわけであるが、シャッターカーテン１３を降下させる時には、テープ１６から力を伝達することができない。そこで、ゼンマイスプリングを自然状態よりもさらに巻くことで開口部全開状態とすることで、全開状態でいわゆる「下がり勝手」として、全開状態からのシャッターカーテン１３の降下をアシストしている。
【００１４】
プーリ１５の外周面には、複数の突起１５ａが周方向に連続状に形成されており、突起１５ａ間に複数の係止溝１５ｂが周方向に連続状に形成されている。図示の例では、対向状の一対のフランジ１５０間にテープ１６を巻装する周面が形成されており、前記一対のフランジ１５０に複数の係止溝１５ｂが周方向に連続状に形成されている。
【００１５】
シャッターケース１１内には、プーリ１５の近傍に位置してロック部材１７が設けてある。ロック部材１７はベース１８とベース１８に対して回動可能に連結された回動係止体１９とからなり、一つの実施形態では、ベース１８はシャッターケース側部を構成するブラケット１１Ａに連結されている。回動係止体１９の基端とベース１８との回動軸２０ａにはバネ部材２０ｂが設けてあり、バネ部材２０ｂによって、回動係止体１９はプーリ側に回動する方向に付勢されており、回動係止体１９に外力が加わらない自然な状態では、回動係止体１９はプーリ側に跳ね上がった状態である。回動係止体１９の先端側には、係止部１９ａが形成されており、回動係止体１９がプーリ１５側に回動することで、係止部１９ａが係止溝１５ｂに係止してプーリ１５の回転を止めるようになっている。回動係止体１９の先端には、プーリ１５から引き出されたテープ１６が巻き掛けられるガイドピン１９ｂが形成されている。図示の例では、回動係止体１９は、対向状の２枚の板片１９０を有しており、板片１９０の基端部間に回動軸２０ａが設けられ、板片１９０の先端部間にガイドピン１９ｂが設けられ、先端側近傍の突部１９０ａ間に係止部１９ａが設けてある。
【００１６】
シャッターケース１１内には、ロック部材１７の下方で、かつ、上枠６の躯体側枠部６０の上方（外装材１５側）に位置して、ガイドピン１９ｂから斜め下方に導かれたテープ１６を巻き掛けて方向を変更させて誘導案内するガイドローラ２１が設けてある。ガイドローラ２１は、上枠６の躯体側部位６０の上壁６００に形成した図示しない開口に位置して立設された筒状部１１Ｂ内に支持されており、テープ１６は当該筒状部１１Ｂ内でガイドローラ２１に誘導案内される。尚、上枠６の躯体側部位６０の中間壁６０１、下壁６０２は縦枠８，９の上方位置までは延出しておらず、上壁６００の開口から下方に案内されたテープ１６は縦枠８の躯体側部位８０の上方の開口へと導かれる。
【００１７】
回動係止体１９は基端側が上側で、先端側が下側の配向でベース１８に取り付けられている。図５に示すように、回動係止体１９がプーリ１５側に回動した状態では、回動ロック部材１７は、ベース１８と回動係止部１９とから「く」字状の姿勢にあり、係止部１９ａがいずれかの係止溝１５ｂに係止してプーリ１５の回転が規制されている。回動係止体１９がバネ部材２０ｂの付勢力でプーリ１５側に回動する際には、ガイドピン１９ｂを介してテープ１６をプーリ１５側に移動させるため、ガイドピン１９ｂがガイドローラ２１から室外側に離間した状態にあることと相俟って、テープ１６はガイドピン１９ｂによって角度を付けてガイドローラ２１に向かって導出されている。
【００１８】
図５の状態からテープ１６を下方に引くことで、図６に示すように、テープ１６がプーリ１５から直線状に導出される過程で、テープ１６が巻き掛けされているガイドピン１９ｂを介して回動係止体１９をプーリ１５から離隔する方向に回動させ、係止部１９ａと係止溝１５ｂの係止状態が解除される。係止部１９ａと係止溝１５ｂの係止状態を解除することで、プーリ１５が回転自在となり、シャッターカーテン１３の昇降動作が可能となる。
【００１９】
図３に示すように、テープ１６が巻回されるプーリ１５は、縦枠８の上方に位置して配置されている。より具体的には、平面視において、プーリ１５は縦枠８の上方において、外方側（開口部Ｏから離隔する側、すなわち、外側見込面８Ａに近接する側）に位置している。テープ１６はガイドローラ２１を介して平面視において略９０度仕向け方向が変更(図３に示すように、開口幅に直交する方向Ｘから開口幅方向Ｙに転換)されながら下方に導かれ、縦枠８の躯体側部位８０の上方の開口から内部空間Ｓ１に導入され、ついで、壁８０１に形成された図示しない開口を挿通して突出縦枠８０Ａの内部空間Ｓ２に導入され、突出縦枠８０Ａの見込面８００の上方部位から、突出縦枠８０Ａの外部に導出される。すなわち、テープ１６は、開口部Ｏの外側において、突出縦枠８０Ａの見込面から室内空間（窓装置の内側の空間）に引き出されている。
【００２０】
図２において、テープ（黒塗り）１６Ａは突出縦枠８０Ａの見込面８００の外部に露出しているテープ部分を示している。導出されたテープ１６Ａは見込面８００に沿って下方に延出され、突出縦枠８０Ａの見込面８００の下方部位から突出縦枠８０Ａの内部空間Ｓ２に導入される。見込面８００の上下部位には、テープ１６を挿通させる開口２２Ａ，２３Ａが形成されていると共に、開口２２Ａ，２３Ａにはテープ１６を案内する案内ローラ２２，２３が設けてある。
【００２１】
図８に示すように、突出縦枠８０Ａの内部空間Ｓ２に導入されたテープ１６は斜め上方に延出され（テープ１６Ｂ）、内部空間Ｓ２内を上下動可能に支持されている動滑車２４に巻き掛けられ、斜め下方に延出され（テープ１６Ｃ）、その端部が突出縦枠８０Ａの内壁の下方部位に固定されている。図８（Ａ）はシャッター開放時のテープの状態を示し、シャッター開放時にはテープ１６（テープ１６Ａ）が下方に引かれるが、動滑車２４が上方に移動することで、テープ１６の余長部（テープ１６Ｂ，１６Ｃ）を突出縦枠８０Ａの内部空間Ｓ２内に収納している。図８（Ｂ）はシャッター閉鎖時のテープの状態を示し、シャッター閉鎖時にはテープが上方に引かれるが、動滑車２４が下方に移動することで、テープ１６の引き出しを許容している。一つの実施形態では動滑車２４は、突出縦枠８０Ａの壁８０１の上方部位に固定したケース２５ａから下方に引き出された索条２５ｂの先端に支持されており、索条２５ｂの基端側はケース２５ａ内に引き込まれる方向に付勢されている。ケース２５ａ及び索条２５ｂは、市販のキーバックチェーンによって構成することが可能である。
【００２２】
このように構成された窓シャッター装置において、テープ１６を引っ張らない状態では、ロック部材１７の回動係止体１９がバネ部材２１ｂの付勢力でプーリ１５側に回動して、回動係止体１９の係止部がプーリ１５の係止溝１５ｂに係止してプーリ１５の回転が規制されている。この状態から、テープ１６（テープ１６Ａ）を引くと、プーリ１５、ピン１９ｂ、案内ローラ２１に巻き掛けされたテープ１６の部分が緊張して、回動係止体１９のピン１９ｂを介して回動係止体１９をプーリ１５から離隔する方向に回動させて、回動係止体１９の係止部とプーリ１５の係止溝１５ｂの係止状態が解除されて、プーリ１５が回転自在となる。そして、そのままテープ１６を引くことで、プーリ１５を介して巻取シャフト１２がシャッターカーテン１３を巻き取る方向に回転して、開口部を開放する。回動係止体１９がプーリ１５から離隔して非ロック状態を維持する程度にテープ１６を緊張させてテープ１６の引きを止めると、シャッターカーテン１３が自重で降下して開口部を閉鎖する。この時、シャッターカーテン１３の自重降下を継続させるには、自重によりテープ１６にかかる張力がバネ２０ｂの力に打ち勝つ必要がある。
【００２３】
回動係止体１９の係止部が、プーリ１５の周方向に連続状に形成した複数の係止溝１５ｂのいずれか一つの係止することで係止部１９ａと係止溝１５ｂが係止したロック状態となるので、開口部全閉時のみならず、シャッターカーテン１３を任意の位置で停止させることができる。また、テープ１６は、ロック状態を解除する時のみに機能し、ロック状態を維持するためには機能しないので、ロック状態で、仮にテープ１６が切断したとしても、ロック状態は維持される。したがって、開口部全開時でテープ１６が切断したとしても、シャッターカーテン１３が落下するようなことはない。また、開口部全閉時のロック状態において、室外側からのシャッターカーテン１３の持ち上げに対しても十分な強度を有する。
【産業上の利用可能性】
【００２４】
本発明は、窓シャッターの操作装置として利用することができる。
【図面の簡単な説明】
【００２５】
【図１】窓装置及び窓シャッター装置の正面図である。
【図２】窓装置及び窓シャッター装置の縦断面図である。
【図３】窓装置及び窓シャッター装置の横断面図である。
【図４】図２におけるロック機構の部分拡大図である。
【図５】ロック状態にあるロック機構を示す概略斜視図である。
【図６】非ロック状態にあるロック機構を示す概略斜視図である。
【図７】ロック部材の部品図であり、（Ａ）は正面図；（Ｂ）は側面図；（Ｃ）はバネ材の付勢力でベースに対して回動係止片が回動した状態（ロック状態）を示す側面図（図５に対応）；（Ｄ）はテープの引き操作で回動係止片が回動した状態（非ロック状態）を示す側面図（図６に対応）、である。
【図８】テープ収納構造を示す断面図であり、（Ａ）はシャッター開放時のテープの状態を示し；（Ｂ）はシャッター閉鎖時のテープの状態を示す。
【符号の説明】
【００２６】
１，２，３，４  額縁
６  上枠
７  下枠
８  縦枠
８０  躯体側枠部
８０Ａ  突出縦枠
８００  見込面
９  縦枠
１２  巻取シャフト
１３  シャッターカーテン
１４  ガイドレール
１５  プーリ
１５ｂ  係止溝
１６  テープ
１７  ロック部材
１９  回動係止体
１９ａ  係止部
１９ｂ  ガイドピン
２０ｂ  バネ材
２１  ガイドローラ
Ｏ  開口部
Ｓ１、Ｓ２  縦枠の躯体側枠部の内部空間
【図１】
2008138357.tif 000003
【図２】
2008138357.tif 000004
【図３】
2008138357.tif 000005
【図４】
2008138357.tif 000006
【図５】
2008138357.tif 000007
【図６】
2008138357.tif 000008
【図７】
2008138357.tif 000009
【図８】
2008138357.tif 000010